(57)【要約】【課題】ドアーの開閉時の移動を発電装置に回転を与える回転体の駆動力として活用し、発生した電力を非常用の電源として得る。【解決手段】人の出入を感知して自動的に開閉する自動ドアーであって、ドアー一側面にドアー開閉方向に繊条体を張設し、ドアー装置を構成する固定部に発電ユニットを設け、ドアーに張設した繊条体に対応する位置に発電ユニットの回転体を設け、回転体に繊条体を捲回する。【選択図】  図１
2015214811.tif 000002
【特許請求の範囲】
【請求項１】
人の出入を感知し、自動的に開閉する自動ドアー装置であって、ドアー又は基礎部分の何れか一方に回転体及び前記回転体に連結した発電装置を設置すると共に、残りの他方に繊条体を張設設置し、前記回転体に該繊条体を係合させることにより、ドアー移動により回転体に回動力を付与させることを特徴とするドアー装置。
【請求項２】
前記繊条体と前記回転体との係合は、前記繊条体を前記回転体に捲回して行なうことを特徴とする請求項１に記載のドアー装置。
【請求項３】
前記繊条体をドアー上端面に張設し、前記繊条体と係合する前記回転体及び前記回転体に連結した前記発電装置を無目内に設置したことを特徴とする請求項１又は２のドアー装置。
【請求項４】
前記繊条体を前記基礎部分又はドアー支持機構に張設し、前記繊条体と係合する前記回転体及び前記回転体に連結した前記発電装置を前記ドアー上部に設置したことを特徴とする請求項１又は２に記載のドアー装置。
【請求項５】
発電ユニットを内蔵する筐体を、ドアーに対峙させて、ドアー装置固定部の床面に設置することを特徴とする請求項１から４のうち何れか一項に記載のドアー装置。
【請求項６】
前記回転体を二つのプーリーにより構成すると共に、少なくとも一方のプーリーを弾性体を介して可動に設置し、前記繊条体を前記両プーリーに係架したことを特徴とする請求項１から５のうち何れか一項に記載のドアー装置。
【発明の詳細な説明】
【技術分野】
【０００１】
本発明は、ドアー装置に関する。
【背景技術】
【０００２】
従来からスライドドアの開閉時の動作を発電装置の回転体の回動力に替えこの回動力により小発電を行なう装置が提案されている。例えば、特許文献１に記載された発明は、筺体内に発電装置を設置し、該発電装置に回動力を付与してローターを回動させステーターとしてのコイルに起電力を発生させる構成であり、このローターに回動力を付与する回転体をドアーの一側に摺接させる際に発電装置を回転装置を設置した支持板体を筺体内にスライド可能に設置し、コイルバネにより押圧し、回転体をドアーに常時押圧する構成である。
【０００３】
又、特許文献２に記載された発明は、回転体の回転力により発電装置のコイルに起電力を発生させる構成は同じであるが、この回転体をギアにより構成し、ドアー一側面にドアー移動方向にラックを設置し前記ギアーと噛合させ、ドアー移動によりギアー回転を行ない回転増巾を行なってコイルに起電力を発生させる構造である。
【先行技術文献】
【特許文献】
【０００４】
【特許文献１】特開２０１３−１５５５３３号公報
【特許文献２】特開２０１３−１８９８３４号公報
【発明の概要】
【発明が解決しようとする課題】
【０００５】
特許文献１に記載された発明は、ドアーと摺動接触する回転体はウレタンゴム等の接触摩擦抵抗の大きいウレタン等の材料によって形成され然も常時、ドアー側面に押圧されているので、その形状の変形、摩耗は避けることが出来ない。このため、回転体の保守点検は欠かすことが出来ない。又、その交換も必要となる。
【０００６】
又、特許文献２に於いては、ラックとギアーの噛合による回動のためその接触調整は不可避で、その摩耗対策も必要である。
【０００７】
以上の事由により、効率的な起電力の発生を得るためには、保守点検に目を配る必要があり、その起電力の維持向上にはコストが上昇する虞がある。
【０００８】
そこで本発明に於いては、極めて簡単な構成により、ドアー移動を効率よく発電装置の起電力に連なる回転体の回動力とするための装置を提案するものである。
【課題を解決するための手段】
【０００９】
上記目的を達成するための手段としての本発明として、の出入を感知し、自動的に開閉する自動ドアー装置であって、ドアー又は基礎部分の何れか一方に回転体及び前記回転体に連結した発電装置を設置すると共に、残りの他方に繊条体を張設設置し、前記回転体に該繊条体を係合させることにより、ドアー移動により回転体に回動力を付与させることを特徴とするドアー装置を提案する。
【００１０】
又、上記ドアー装置において、前記繊条体と前記回転体との係合は、前記繊条体を前記回転体に捲回して行なうことを特徴とするドアー装置を提案する。
【００１１】
又、上記ドアー装置において、前記繊条体をドアー上端面に張設し、前記繊条体と係合する前記回転体及び前記回転体に連結した前記発電装置を無目内に設置したことを特徴とするドアー装置を提案する。
【００１２】
又、上記ドアー装置において、前記繊条体を前記基礎部分又はドアー支持機構に張設し、前記繊条体と係合する前記回転体及び前記回転体に連結した前記発電装置を前記ドアー上部に設置したことを特徴とするドアー装置を提案する。
【００１３】
又、上記ドアー装置において、発電ユニットを内蔵する筐体を、ドアーに対峙させて、ドアー装置固定部の床面に設置することを特徴とするドアー装置を提案する。
【００１４】
又、上記ドアー装置において、前記回転体を二つのプーリーにより構成すると共に、少なくとも一方のプーリーを弾性体を介して可動に設置し、前記繊条体を前記両プーリーに係架したことを特徴とするドアー装置を提案する。
【発明の効果】
【００１５】
本発明によれば、ドアー又は基礎部分の何れか一方に回転体及び前記回転体に連結した発電装置を設置すると共に、残りの他方に繊条体を張設設置し、前記回転体に該繊条体を係合させることにより、ドアー移動により回転体に回動力を付与させたので、発電装置に外部から発電機構の駆動力を与える源動力は、ドアーの開閉時の移動エネルギーだけで、然もその移動するエネルギーは一本の繊条体だけで回転体を駆動することにより発生するものである。
【００１６】
従って、その機構は極めて簡単で単にドアーに繊条体を張るだけで回転体を回転させ発電させるものである。即ち、極めて簡単な構成により、ドアー移動を効率よく発電装置の起電力に連なる回転体の回動力とするための装置となり、それ故停電等の非常事態に於いてもこれらの発電により蓄積充電された電気を照明、ドアーの開閉等に使用でき極めて有用である。然も設備は極めて簡単、維持にも費用はかからず非常用電源として有効である。
【図面の簡単な説明】
【００１７】
【図１】本発明一実施例概略正面説明図
【図２】同上一実施例概略平面説明図
【図３】同上一部拡大側面説明図
【図４】本発明他実施例要部概略平面説明図
【図５】本発明他実施例一部拡大側面説明図
【図６】本発明他実施例一部拡大平面説明図
【図７】本発明他実施例平面説明図
【図８】同上一部拡大側面説明図
【図９】本発明他実施例一部拡大説明図
【図１０】本発明他実施例一部拡大説明図
【図１１】本発明他実施例一部拡大説明図
【発明を実施するための形態】
【００１８】
以下図に示す実施例により本発明を詳細に説明する。本発明に於いては、通常のドア装置即ち一般的に使用されるドアー１，１は、ドアー１を支える基礎部分３とその上にドアー１，１の間隔を開けて設置した柱３１，３１及びそれに続く壁体３２，３２とその内端部に設置した方立３３，３３及び柱３１，３１及び壁体３２の上方に懸渡した箱状の無目３４によって形成されるドアー１の支持機構１０によって構成される出入口１１に設置される。
【００１９】
ドアー１，１は、出入口１１の上方の無目３４内に収納されているドア駆動部２によって開閉自在に係架されている。即ち該ドア駆動部２は電動機２１を有し主プーリー２２、従動プーリー２３間に駆動ベルト２４を係架して該電動機２１にて駆動する構成である。
【００２０】
又、該ドアー１，１はその係架部２８，２８上に設けたローラー２５，２５によりレール２６上を走行自在としてある。又同時に各ドアー１に設けた連結金具２７，２７により駆動ベルト２４に連結して各ドアー１，１を駆動させるように構成している。該駆動部２の電動機２１には通常装備される制御部（回示せず）が設けられ電動機２１の作動状態を制御している。
【００２１】
繊条体４は、無目３４内にドアー１に近接して無目３４内壁３４１、３４１間に張設する。この際、繊条体４の端部を発条４１を介して無目３４内壁３４１、３４１に固定することも出来る。更に繊条体４に鉤片を設け、無目３４内壁３４１、３４１に鉤止片を設け鉤止自在とすることは推奨される。更にこの際、繊条体４の一部又は該部にスプリング等の伸張部４１を設け伸縮可能に形成することも出来る。又、ドアー１の一端面、例えばドアー１の上端面１Ａにドアー１巾方向に張設することが出来る。又、この設置箇所については、この他ドアー１の一側面１Ｂ上部或いは下部のドアー１の巾方向に設置することも出来る。要するに、繊条体４はドアー１のドアー支持機構１０でもドアー１でも何れにも設置することが出来る。
【００２２】
該繊条体４は、ワイヤー、ロープ、ベルト、つり糸等の金属、繊維等の単体或いは複合の編、繊条体を使用することが出来る。又この繊条体４としては皮革、てぐす等の線状体を使用することが出来る。
【００２３】
発電装置５は、ドアー１上又はドアー１に近接して無目３４内或いは基礎部分３上に設置される。特にドアー１に設置する場合はその上端面或いは一側面に張設した繊条体４に以下説明の如く発電装置５の一部を接して設置しておく。
【００２４】
この発電装置５は、繊条体４の設置位置に対応してドアー支持機構１０やドアー１の何れかに設置する。該発電装置５は、筐体５１内に１又は２の発電ユニット５２又は発電ユニット５２と５３とを備えて構成される。
【００２５】
発電ユニット５２と発電ユニット５３は同一機構であり、ここでは発電ユニット５２について説明する。回転体５４は、筐体５１の底板又はそこに設置される基板５５に回動自在に支承させた入力回転軸５６に固定されている。
【００２６】
該回転体５４は、繊条体４と係合して、より具体的には、回転体５４の外側面に摺動或いは外周面に形成した溝５４１に摺接乃至捲回して、ドアー１の移動につれて回動されるように構成される。該溝５４１は繊条体４に対応してＵ字やＶ字等所望形に形成できる。又、繊条体４を回転体５４に摺接させる際に、繊条体４を回転体５４に押しつける押圧体を別途設置することは推奨される。
【００２７】
該回転体５４と同軸乃至一体形成された回転入力ギヤ５６１と増速部６を構成するギヤトレイン６１と噛合し、ギヤトレイン６１の各構成歯車は夫々に筐体５１又はそこに別途設置される基板５５に設置された回動軸６２、６３、６４に回転可能に軸与されている。
【００２８】
ギヤトレイン６１は回動軸６２に固定された小歯車６２１、大歯車６２２、固定軸６３に固定された小歯車６３１、大歯車６３２、回動軸６４に固定された小歯車６４１、大歯車６４２より構成され、夫々大歯車と小歯車を噛合させて、増速部６を構成している。
【００２９】
ギヤトレイン６１の回動軸６４の大歯車６４２は、基板５５に設けた発電ユニット５２の出力側回動軸５２１に設けた歯車５２２と噛合させてあり、出力側回動軸５２１の増速回動駆動を行なう。
【００３０】
発電ユニット５２は、公知の構成の如くローター部とステータ部とより成り、ローター部は着磁した永久磁石を回転方向にＮ極、Ｓ極と交互に配置して構成され出力側回転軸５２１に設置されている。ステータ部は捲回した発電コイルより成り、コイル内にローター部を回動可能に設置して構成し、ローター部の高速回動により該コイルに発生する起電力をコイル端子から取出し、蓄電する整流蓄電回路７へと送る。該整流蓄電回路７は発電装置５の筐体５１内或いはそれに近接して設置するのが好ましいが、ドアー１上或いは無目３４等に設置してコードにより連結しても良い。
【００３１】
又、自動ドア装置に於いて、人の出入を感知する機能は必要で、例えばドアーの前方又は屋内側の何れにも感知機能付ドアマットが設けられている。又該ドアマットと共に或いは単独で光スイッチ装置が設けられている。これら感知装置により動作の制御部記憶部等を経て、ドアーの駆動部たる電動機２１に信号を送り所望のドアーの開閉動作を起動させる。
【００３２】
この自動ドア装置のドアー１，１の開閉時、ドアー１の動きにつれてドアー１の一端面又は無目３４その他ドアー支持機構１０に張られた繊条体４は、摺接或いは又捲回した回転体５４を回動させる。この回転体５４は、回転軸５６を介して回転入力ギア５６１を回動させ、この回転入力ギア５６１と噛合する小歯車６２１を回動させる。この様にギアトレイン６１により回転入力ギア５６１の回転を次々と増巾させてローター部たる出力側回転軸５２１への高速回転力を付与する。
【００３３】
この高速回転力により発電ユニット５２で交流発電が行われ次いでコイル端子から設置された整流蓄電回路７へと充電される。
【実施例１】
【００３４】
図２及び図３に示す実施例１について説明する。ドアー１は、無目３内に設置したレール２６に係架部２８の上部に設けたローラー２５を係架して、回動するベルト２４に連結金具２７を以って連結してベルト２４により走行自在としてある。ドアー１の上部面１Ａには、発電装置５を設置するものである。
【００３５】
発電装置５は、コ字状の筐体５１内に設置されている。該筐体５１の底板５１１の延長板５１２、５１２にコ字状の取付片５１３、５１３を設け、ドアー１の上部面１Ａに設けた係架部２８のカバー２８１に嵌合し、ボルト５１４により固定する。この際、該筐体５１は防振ゴム５１５を介してドアー１上に設けることは推奨される。
【００３６】
この発電装置５の筐体５１の延長板５１２上には発電ユニット５２に連結した整流蓄電装置７を設置しておく。この発電装置５に設けた回転体５４には、繊条体４のワイヤーを捲回した後、該ワイヤーの両端を無目３４内の両側壁３４１、３４１間に張設固定して置く。
【００３７】
又、無目３４には一側方に開閉扉３４２を設け、駆動部２や発電装置５、電流蓄電回路７等の保守点検を筒条に行なえる構成としてある。発電装置５の他の構成は前記説明の通りである。この構成により、ドアー１の開閉によりドアー１上に設けられた発電装置５は先づワイヤー４に係架した回転体５４が回動して、増速装置６を介して発電ユニット５２により発電し、連結した整流蓄電回路７に蓄電する。
【実施例２】
【００３８】
図５に示す実施例２について説明する。発電装置５は、無目３４内に設置したケース３５上に防張ゴム５１５、５１５…を介して固定しておく。該発電装置５の筐体５１より回転体５４の一部を突出させ、無目３４の内壁３４１、３４１間に張出させたワイヤー４を該回転体５４に捲回させておく。ケース３５内又は上部に整流蓄電回路７を設置しておく。
【００３９】
又、筐体５１より突出している回転体５４及びワイヤー４を保護するためカバー３６をドアー１上又は無目３４或いはケース３５に設置しておく。駆動部２は、ドアー１の係架部２８を支持したローラー２５をレール２６上に回動自在に載置し、係架部２８に固定した駆動輪８１に溝合させたベルト２４より成りベルト２４駆動により移動自在としてある。
【実施例３】
【００４０】
図７、図８に示す実施例について説明する。ワイヤー４はドアー１の一側面下端にドアー１巾方向に張設固定しておく。発電装置５はドアー１の一側端にドアー１に対面して基礎部分３に設置してある。回転体５４の一部は筐体５１よりドアー１に対面して突出させてある。ワイヤー４はドアー１に設置の際に、回転体５４に捲回して後、張設する。発電装置５とドアー１間には張出する回転体５４とワイヤー４を保護するためのカバー３６をドアー１或いは筐体５１に設けておく。
【実施例４】
【００４１】
発電装置５に使用する回転体５４の形態に於いて、回転体５４を連接して設ける実施例について図１０により説明する。筐体５１に一方の回転体５４を回転軸５６により軸支させる。他方の回転体５４２はその回転軸５６２により筐体５１に設けた通孔５１６、５１６に挿通させ発条５１７、５１７にて外方に圧出してある。この構成により両回転体５４及び５４２に捲回してワイヤー４を張設することにより筐体５１の移動又はワイヤー４を張設したドアー１の移動時にワイヤー４の弛緩がなく、常時張られた状態にて回転体５４を回転させる。従って回転体５４と同軸の回転入力ギヤ５６１の回転を常時有効な回転力として保持でき発電力機構に寄与できる。
【産業上の利用可能性】
【００４２】
停電等の事態に備えて非常電源を備えるためには相当の設備及びそのための費用を必要とする。本発明によれば人の出入により常時開閉するドアーにより発電し非常灯、出入口等の案内灯の極めて極小の電力でも使用できる機器のための備蓄が出来、これにより多数の人の出入のある場所に於ける案内誘導が行なえ常時起電力の発生により非常時に対応出来、商店、スーパー、劇場等、人の流通の安全に寄与できる。
【符号の説明】
【００４３】
１      ドアー
２      ドアー駆動部
２１    電動機
２２    主プーリー
２３    従動プーリー
２４    ベルト
２５    ローラー
２６    レール
２７    連結金具
３      基礎部分
３１    柱
３２    壁体
３３    方立
３４    無目
４      繊条体
５      発電装置
５１    筺体
５２    発電ユニット
５３    発電ユニット
５４    回転体
５４１  溝
５５    基板
５６    回転軸
５６１  回転入力ギヤ
６      増速部
６１    ギヤトレイン
７      整流蓄電回路
１０    ドアー支持機構
１１    出入口
【図１】
2015214811.tif 000003
【図２】
2015214811.tif 000004
【図３】
2015214811.tif 000005
【図４】
2015214811.tif 000006
【図５】
2015214811.tif 000007
【図６】
2015214811.tif 000008
【図７】
2015214811.tif 000009
【図８】
2015214811.tif 000010
【図９】
2015214811.tif 000011
【図１０】
2015214811.tif 000012
【図１１】
2015214811.tif 000013